(57)【要約】      （修正有）【課題】操作し易く、秤量の誤差を低減して秤量の精度を向上させる救急用移動体重計を提供する。【解決手段】救急用移動型体重計は、背臥位の患者を支持するように構成された患者移動台２０を具える。体重計は複数のトランスデューサ３０を含み、トランスデューサのレイアウトは正確で再現可能な患者の秤量を促進する。体重計は上部秤量面及び複数の孔状のスロットを含み、孔状のスロットは上部秤量面の辺に近接した周囲体内に設けられる。体重計は、検出した患者の体重を医療スタッフに対して表示する表示モジュール８０を含む。複数の孔状のスロットにより、体重計の重量が低減される。体重計は、患者を安定な位置に維持しつつ患者の体重を正確に測定することを可能にし、秤量の精度を増加させる。【選択図】図２
0003227018.tif 000002
【実用新案登録請求の範囲】
【請求項１】
患者を秤量する装置であって、背臥位の患者を支持するように構成された患者移動台を具え、該患者移動台の上部秤量面は、前記背臥位の患者を受けるように構成され、該上部秤量面は４５０mm〜５５０mmの幅を有する装置において、
前記患者移動台が、前記上部秤量面の真下に設けられた複数のトランスデューサを具え、該トランスデューサは前記患者の体重を測定するように構成され、
前記装置は、前記複数のトランスデューサによって検出した体重を合計して提供するように構成された合計手段を具え、
前記複数のトランスデューサは少なくとも１４個のトランスデューサを含み、該トランスデューサの各々は、他の該トランスデューサから３００mm以下の所にあり、
前記トランスデューサのうちの少なくとも８５％は、前記上部秤量面の一辺から１５０mm以下の所に設けられている装置。
【請求項２】
前記秤量面が１７５０〜１９５０mmの長さを有する、請求項１に記載の装置。
【請求項３】
前記トランスデューサのうちの少なくとも２０％が、前記上部秤量面の一端から１３０mm以下の所に設けられている、請求項１または２に記載の装置。
【請求項４】
前記トランスデューサのうちの少なくとも１０％が、前記上部秤量面の一辺から１０５mm以下の所に設けられている、請求項１〜３のいずれかに記載の装置。
【請求項５】
前記トランスデューサのうちの少なくとも８５％が、前記上部秤量面の一辺から１４５mm以下の所に設けられている、請求項１〜４のいずれかに記載の装置。
【請求項６】
前記トランスデューサのうちの少なくとも８５％が、前記上部秤量面の一辺から１４０mm以下の所に設けられている、請求項１〜５のいずれかに記載の装置。
【請求項７】
前記トランスデューサの各々が、他の前記トランスデューサから２７５mm以下の所にある、請求項１〜６のいずれかに記載の装置。
【請求項８】
少なくとも１６個の前記トランスデューサを具えている、請求項１〜７のいずれかに記載の装置。
【請求項９】
前記トランスデューサのうちの１３％未満が、前記上部秤量面の一辺から２００mm超の所に設けられている、請求項１〜８のいずれかに記載の装置。
【請求項１０】
前記トランスデューサが正方形または長方形であり、前記トランスデューサの側面が、前記上部秤量面の端または辺に平行に設けられ、あるいは前記上部秤量面の端または辺からおよそ４５°の角度に設けられている、請求項１〜９のいずれかに記載の装置。
【請求項１１】
前記トランスデューサのうちの少なくとも７０％が、前記上部秤量面の端または辺からおよそ４５°の角度に設けられている、請求項１０に記載の装置。
【請求項１２】
前記トランスデューサのうちの少なくとも２０％の側面が、前記上部秤量面の端及び辺に平行に設けられている、請求項１０または１１に記載の装置。
【請求項１３】
前記上部秤量面が、４８０〜５５０mmの幅、１７５０〜１８５０mmの長さを有し、前記複数のトランスデューサが少なくとも１６個のトランスデューサを含み、前記トランスデューサの各々が他の前記トランスデューサから２７５mm以下の所にあり、前記トランスデューサのうちの少なくとも１４個は、前記上部秤量面の一辺から１５０mm以下の所に設けられ、前記トランスデューサのうちの少なくとも４個は、前記上部秤量面の一端から１３０mm以下の所に設けられている、請求項１〜１２のいずれかに記載の装置。
【請求項１４】
前記トランスデューサのうちの少なくとも２個は、前記上部秤量面の一辺から１０５mm以下の所に設けられている、請求項１３に記載の装置。
【請求項１５】
前記患者移動台が支持台を含み、該支持台上に前記トランスデューサが実装され、複数の開口が前記支持台を貫通して設けられ、あるいは複数の凹部が前記支持台上に設けられている、請求項１〜１４のいずれかに記載の装置。
【請求項１６】
前記開口または前記凹部の各々が、長方形、長円形、または楕円形の形状を有し、縦軸方向及び横軸方向を有し、前記開口または前記凹部の各々の縦軸が、前記上部秤量面の縦軸にほぼ平行であるか、ほぼ垂直である、請求項１５に記載の装置。
【請求項１７】
４組のトランスデューサの形に配列された１６個の前記トランスデューサを具え、前記トランスデューサの各組は電子回路基板を含み、該電子回路基板は、４つの前記トランスデューサの各々に電子的に接続されている、請求項１〜１６のいずれかに記載の装置。
【請求項１８】
前記４組のうちの３組が、前記上部秤量面の中心の縦軸から等しい間隔をおいた前記トランスデューサを含む、請求項１７に記載の装置。
【請求項１９】
前記４組のうちの１組が、前記上部秤量面の中心の縦軸に沿った２個の前記トランスデューサを含む、請求項１７または１８に記載の装置。
【請求項２０】
前記合計手段と通信する表示モジュールを含む、請求項１〜１９のいずれかに記載の装置。
【請求項２１】
フレームを含み、該フレーム上に前記トランスデューサが設けられ、前記フレームは、前記上部秤量面の中心の縦軸に沿って延びる中心分枝、及び該中心分枝から横方向に延びる複数の二次分枝を含む、請求項１７〜２０のいずれかに記載の装置。
【請求項２２】
前記中心分枝に沿って均等に間隔をおいた７つの前記二次分枝を含む、請求項２１に記載の装置。
【請求項２３】
前記４組のうちの３組の前記トランスデューサの各々が、１つの前記二次分枝上に設けられ、
前記４組のうちの１組の前記トランスデューサのうちの２つが、１つの前記二次分枝上に設けられ、
前記４組のうちの１組の前記トランスデューサのうちの２つが、前記中心分枝上に設けられている、請求項２２に記載の装置。
【請求項２４】
前記上部秤量面上に着脱可能なカバーを含む、請求項１〜２３のいずれかに記載の装置。
【請求項２５】
前記患者移動台が、当該患者移動台上の凹部または当該患者移動台を貫通する開口を含む、請求項１〜２４のいずれかに記載の装置。
【請求項２６】
前記凹部または前記開口が縦軸及び横軸を有し、前記凹部または前記開口のうちのおよそ半分の前記縦軸が前記患者移動台の縦軸に平行であり、前記凹部または前記開口のうちのおよそ半分の前記縦軸が前記患者移動台の縦軸に垂直である、請求項２５に記載の装置。
【考案の詳細な説明】
【技術分野】
【０００１】
本実用新案は体重計に関するものであり、特に、寝たきり患者、あるいは見当識障害（失見当）または混乱した患者の迅速かつ正確な秤量を可能にする救急用移動体重計の種類に関するものである。
【背景技術】
【０００２】
多数の薬剤の投与量は患者の体重に依存する。誤った用量が投与されれば、薬剤の有効性が低下し、副作用の危険性が増加する。
【０００３】
入院時に、多数の患者は、無意識であることにより、あるいは損傷が疑われることにより、特に背部損傷、頸部損傷、または脚の負傷が疑われることにより、自分自身の体重を支えることができない。さらに、患者が胸痛または呼吸困難を伴って入院する場合、こうした患者に対する病院の手当ては、臥位または座位のままにしておくことである。こうした患者は従来の体重計で秤量することはできない、というのは従来の体重計は患者が立つ必要があるからである。病院内ではホイストのような秤量装置が利用可能であるが、これらは患者をホイスト内に置いて患者をベッド／ストレッチャー（車輪付き担架）から持ち上げて体重を量ることを伴う。このことは時間を要し、患者を吊り下げることを必要とし、結果的な安全性の問題を伴い、例えばホイストを適切に使用しなければホイストが倒れることがある。その代わりに、患者及びストレッチャーを共に秤量するフロアスケール（台秤）を用いることができる。フロアスケールは極めて重くなりがちであり、従って携帯不可能であり、ストレッチャーを収容するのに十分な大きさを必要とする。上述した方法は共に相当量の空間を必要とし、病院の救急エリアでは非常に高価になることが多い。
【０００４】
患者が長期間にわたって寝たきりである場合、医療スタッフ（従事者）は、投与する薬剤を見積もるために、患者の体重を定期的に測定しなければならない。緊急時には、患者は無意識であるか負傷していることもあり、立つことの妨げとなり、患者が秤量のために立つことを不可能にする。
【０００５】
例えば、患者が小児である場合、あるいは患者が混乱している、酔っている、及び／または非協力的である場合、患者が秤量作業の期間中じっとしていることを嫌がる際には、患者の体重を測定することが困難である。
【０００６】
こうした状況では、秤量作業が非常に不自由になり得るし、非常に多数の医療従事者が補助することを必要になり得る。それに加えて、患者が不動の姿勢を維持することができない場合、秤量誤差の恐れが増加し、このことは投与される薬剤の量に誤差を生じさせ得る。
【考案の概要】
【考案が解決しようとする課題】
【０００７】
本考案の主目的は、操作し易く秤量の誤差を効果的に低減し、これにより秤量の精度を向上させる救急用移動体重計を提供することにある。
【課題を解決するための手段】
【０００８】
このことを実現するために、患者を秤量する装置を提供し、この装置は、患者を背臥位（仰向け）に支持するように構成された患者移動台を具え、患者移動台の上部秤量面は背臥位の患者を受けるように構成され、上部秤量面は４５０〜５５０mm（一般に４８０mm〜５５０mm）の幅を有する。上部秤量面は１７５０〜１９００mm（一般に１７５０〜１８５０mm）の長さを有することが適切である。患者移動台は、上面の真下に設けられた複数のトランスデューサを具え、これらのトランスデューサは患者の体重を測定するように構成されている。この装置は、複数のトランスデューサによって検出した合計重量を提供するように構成された合計手段を具えている。複数のトランスデューサは、少なくとも１４個のトランスデューサ（一般に少なくとも１６個のトランスデューサ、代表的には１６個のトランスデューサ）を含み、各トランスデューサは他のトランスデューサから３００mm以下の所にある。トランスデューサのうちの少なくとも８５％は上部秤量面の一辺から１５０mm以下の所に設けられている。一般に、１６個のトランスデューサのうちの少なくとも１４個は、上部秤量面の一辺から１５０mm以下の所に設けられている。
【０００９】
トランスデューサのこうした配置は、患者が秤量面上のどこに配置されるかにかかわらず、本考案の装置が患者を正確に秤量することを可能にする。この装置は、患者が例えば混乱または酩酊により動き回っていても、正確な体重読み取り値を提供する。得られる結果は再現可能性が非常に高い。
【００１０】
本明細書中に提供する測定値は、トランスデューサの中点からのものであり、上部秤量面の一辺または一端に最寄りのトランスデューサ側面、あるいは一辺または一端から最遠のトランスデューサ側面からのものではない。
【００１１】
１つの好適例によれば、トランスデューサのうちの少なくとも２０％は上部秤量面の一端から１３０mm以下（一般に１１０mm以下）の所に設けられている。一般に、１６個のトランスデューサのうちの少なくとも４個は上部秤量面の一端から１３０mm以下（一般に１１０mm以下）の所に設けられている。
【００１２】
トランスデューサのうちの少なくとも１０％は上部秤量面の一辺から１０５mm以下の所に設けられていることが適切である。一般に、１６個のトランスデューサのうちの２個は上部秤量面の一辺から１０５mm以下の所に設けられている。
【００１３】
一般に、トランスデューサのうちの１３％未満は上部秤量面の一辺から２００mm超の所に設けられている。一般に、２〜１６個のトランスデューサは上部秤量面の一辺から２００mm超の所に設けられている。
【００１４】
一般に、トランスデューサのうちの少なくとも８５％は、上部秤量面の一辺から１４５mm以下、一般に１４０mm以下の所に設けられている。一般に、１６個のトランスデューサのうちの少なくとも１４個は、上部秤量面の一辺から１４５mm以下、一般に１４０mm以下の所に設けられている。
【００１５】
１つの好適例によれば、各トランスデューサは他のトランスデューサから２７５mmの所にある。１つの好適例によれば、上部秤量面は、４８０〜５５０mm（一般に４８０〜５４０mm）の幅、１７５０〜１９００mm（一般に１７５０〜１８５０mm）の長さを有し、上記複数のトランスデューサは少なくとも１６個のトランスデューサを含み、各トランスデューサは他のトランスデューサから２７５mm以下の所にあり、トランスデューサのうちの少なくとも１４個は上部秤量面の一辺から１５０mm以下の所に設けられ、トランスデューサのうちの少なくとも４個は上部秤量面の一端から１１０mm以下の所に設けられている。一般に、これらのトランスデューサのうちの少なくとも２つは上部秤量面の一辺から１０５mm以下の所に設けられている。
【００１６】
１つの好適例によれば、上記装置は、４組のトランスデューサの形に配置された１６個のトランスデューサを具え、トランスデューサの各組は、４個のトランスデューサの各々に電子的に接続された電子回路基板を含む。一般に、これらのトランスデューサの組のうちの３組は、上部秤量面の中心の縦軸から等しい間隔をおいたトランスデューサを含む。これらのトランスデューサの組のうちの１組は、上部秤量面の中心の縦軸に沿った２個のトランスデューサを含むことが適切である。
【００１７】
１つの好適例によれば、この装置は上部秤量面の下に配置されたフレームを含む。トランスデューサはこのフレーム上に設けることができ、特にこのフレーム上に実装することができる。このフレームは一般に、上部秤量面の中心の縦軸に沿って延びる中心分枝、及び中心分枝から横方向に延びる複数の二次分枝を含む。一般に、このフレームは、中心分枝に沿ってほぼ均等に間隔をおいた７つの二次分枝を含む。トランスデューサの組のうちの３組のトランスデューサの各々は１つの二次分枝上に設けられ、トランスデューサの組のうちの１組のトランスデューサのうちの２個は１つの二次分枝上に設けられ、トランスデューサの組のうちの１組のトランスデューサのうちの２個は中心分枝上に設けられることが適切である。
【００１８】
本考案の装置のトランスデューサは一般に正方形または長方形の形状である。トランスデューサの側面は上部秤量面の端及び辺に平行に、あるいは上部秤量面の端及び辺からおよそ４５°の角度に設けることができる。代表的には、少なくとも７０％のトランスデューサの側面は、上部秤量面の辺からおよそ４５°の角度に設けられる。一般に、少なくとも２０％のトランスデューサの側面は、上部秤量面の端または辺に平行に設けられる。
【００１９】
１つの好適例によれば、患者移動台が支持台を含み、この支持台上にトランスデューサが実装され、複数の開口が支持台を貫通して設けられ、あるいは複数の凹部が支持台上に設けられている。代表的には、開口または凹部の各々が、長方形、長円形、または楕円形の形状を有し、縦軸方向及び横軸方向を有し、開口または凹部の各々の縦軸方向は上部秤量面の縦軸にほぼ平行またはほぼ垂直である。
【００２０】
１つの好適例によれば、本明細書中に開示する装置は、上部秤量面の辺に近接した周囲体を含み、複数の孔状のスロットまたは開口が周囲体内に設けられている。孔状のスロットまた開口の各々は、その壁面の周りに隆起したリブを含むことが適切である。
【００２１】
本明細書中に説明する装置は、上記合計手段と通信する表示（ディスプレイ）モジュールを含むことができる。
【００２２】
この装置は、着脱可能なカバー（例えば、布カバー）を上部秤量面上に含むことができる。
【００２３】
１つの好適例によれば、この装置は、患者移動台、複数のトランスデューサ、及び表示モジュールで構成される。患者移動台の上部秤量面は、背臥位の患者を受けるように構成されている。上部秤量面は一般に長方形であり、縦軸及び横軸を有することが適切である。１つの好適例によれば、この装置は、上部秤量面の辺に近接した周囲体を含み、複数の孔状のスロットまたは開口が周囲体内に設けられている。これらのスロットまたは開口を設けることは、装置の重量を低減し、取り扱い易さ及び持ち上げ易さを促進する、というのは、これらのスロットまたは開口は取っ手として用いることができるからである。それに加えて、あるいはその代わりに、患者移動台が支持台を含み、この支持台上にトランスデューサが実装され、複数の開口が支持台を貫通して設けられ、あるいは複数の凹部が支持台上に設けられている。こうした凹部または開口を含むことは、装置の重量を低減する。１つの好適例によれば、これらの凹部または開口は縦軸及び横軸を有し、およそ半分の凹部または開口の縦軸は患者移動台の縦軸に平行であり、およそ半分の凹部または開口の縦軸は患者移動台の縦軸に垂直である。
【００２４】
トランスデューサは、上部秤量面の縦軸に沿って順に配列され、上記周囲体の孔状のスロットまたは開口からオフセットしている。これらのトランスデューサは、患者の位置にかかわらず患者の体重を検出することができる。表示モジュールは一般に上部秤量面に隣接した装置上に配置され、一般に表示モジュールは周囲体上に設けられる。表示モジュールは、トランスデューサに電子的に接続されてトランスデューサからの結果を医療スタッフに対して表示する。
【００２５】
以上の設計を採用することによって、そして支持台を貫通する開口または支持台上の凹部を設けることにより、本明細書中に開示する装置の重量が低減され、医療スタッフが支持台を方々へ移動させるために必要な労力がより少なくなり、それに加えて、本明細書中に説明するトランスデューサのレイアウトを含む装置を採用することによって、医療スタッフが、患者の体重の測定を実行するのに適した背臥位に患者を維持することが可能になり、これにより測定精度を増加させる効果が達成される。
【００２６】
各開口または凹部が楕円形の形状を有し、長軸方向及び短軸方向を有し、各孔状のスロットの長軸方向は、上部秤量面の縦軸に平行であるか、または上部秤量面の縦軸に垂直であるか、あるいは開口または凹部の一部分を支持面の縦軸に平行にしつつ、他の部分は支持面の縦軸に垂直にすることができることが好ましい。
【００２７】
各開口または凹部の壁面のうちの対向する側面上に隆起したリブが存在し、隆起したリブが延びる方向が開口または凹部の短軸方向に平行であることが好ましく、このようにして、装置の重量を低減することができるのと同時に、装置の構造的強度を維持することもできる。
【００２８】
本願全体を通して、特定の処理ステップを有する、含む、または具えるものとしてプロセスを説明する場合、あるいは特定の構成要素を有する、含む、または具えるものとして装置またはシステムを説明する場合、本明細書の教示のプロセスも、基本的に列挙した処理ステップから成り、あるいは列挙した処理ステップから成ること、及び本明細書の教示の装置またはシステムも基本的に列挙した構成要素から成り、あるいは列挙した構成要素から成ることを目論んでいる。適切であれば、いずれの態様または好適例に関係する教示も、他の好適例に関係することができる。
【００２９】
本願では、ある要素または構成要素が、要素または構成要素を列挙したリスト中に含まれる、あるいはリストから選択されることを称する場合、その要素または構成要素は、列挙した要素または構成要素のいずれにもすることができること、あるいは、その要素または構成要素を、列挙した要素または構成要素のうちの２つ以上から成るグループから選択することができることは明らかである。さらに、本明細書中に説明する装置、構成、またはプロセスの要素及び／または特徴は、本明細書中に明記されているにせよ暗示されているにせよ、本明細書の教示の精神及び範囲から逸脱することなしに種々の方法で組み合わせることができることは明らかである。
【００３０】
「...のうちの少なくとも１つ」という表現は、文脈及び用法から他のように理解されない限り、この表現の前に列挙された対象物の各々を個別に含み、かつ列挙した対象物のうちの２つ以上の種々の組合せを含むことは明らかである。
【００３１】
本明細書中に用いる「１つの」等は、特に断りのない限り複数を含む。
【００３２】
「含む」、「含んでいる」、「具える」、「具えている」、「有する」、「有している」は、特に断りのない限り、一般に上限のない非限定的なものとして理解するべきである。
【００３３】
本明細書中に用いる単数形は、特に断りのない限り複数形を含む。提供するすべての数値は、提供する当該数値よりも１０％小さい値及び１０％大きい値を含む。
【００３４】
それに加えて、定量値の前に「約」を用いている場合、本明細書の教示は、特に断りのない限り、この特定の定量値自体も含む。本明細書中に用いる「約」とは、他の指示または推測のない限り、その公称値から±１０％の変動を参照する。
【００３５】
ステップの順序、あるいは特定の動作を実行する順序は、本明細書の教示が動作可能なままである限り重要でないことは明らかである。さらに、２つ以上のステップまたは動作を同時に行うことができる。
【００３６】
本考案の特定の態様、好適例、または例に関連して説明する特徴、数値、特性、またはグループは、不適合でない限り、本明細書中に説明する他のあらゆる態様、好適例、または例に適用可能であるものと理解するべきである。
【００３７】
本明細書中の種々の箇所で、数値をグループまたは範囲の形で開示している。この記述は、こうしたグループまたは範囲の数値のありとあらゆる個別のサブコンビネーション（副次的組合せ）、及びこうしたグループまたは範囲の種々の端点の任意の組合せを含むことを具体的に意図している。例えば、０〜４０の範囲内の整数は、０、１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、及び４０を個別に開示することを具体的に意図し、０〜２０の範囲内の整数は、０、１、２、３、４、５、６、７、８、９、１０、１１、１２、１３、１４、１５、１６、１７、１８、１９、２０を個別に開示することを具体的に意図している。
【００３８】
あらゆるすべての例、あるいは例示的文言、例えば「のような」、「含む」、または「例えば」を本明細書中に用いることは、本明細書の教示をより良く説明することを意図しているに過ぎず、断りのない限り本考案の範囲に限定を課すものではない。本明細書中のどの文言も、主張していないあらゆる要素を本明細書の教示の実施にとって不可欠なものとして示すものと解釈するべきでない。
【００３９】
本実用新案によって提供される救急用移動体重計の構成、特徴、アセンブリまたは使用方法の詳細は、以下に実施形態の形式で説明する。しかし、これらの詳細な説明及び本実用新案の実施形態の具体的実現は、本実用新案を説明する目的であるに過ぎず、本実用新案の請求の範囲を限定しないことは、当業者の理解する所である。
【図面の簡単な説明】
【００４０】
【図１】本実用新案の救急用移動体重計のグラフィックモデルである。
【図２】本実用新案の救急用移動体重計の切り取り内部モデルである。
【図３】カバー板を除去した後の、本実用新案の救急用移動体重計の上面図である。
【図４】図２の部分拡大図である。
【図５】本実用新案の救急用移動体重計の上面図であり、この救急用移動体重計上に患者を載せ、秤量モジュールの各々と患者の体の部位との対応関係を主に示す。
【図６】体重計の上面図であり、上部秤量面を除去してトランスデューサのレイアウトを示し、測定値はmm単位で表す。
【図６ａ】図６のトランスデューサの拡大図であり、測定値はmm単位で表す。
【図７】図６の実施形態のトランスデューサの上面図であり、測定値はmm単位で表す。
【図８】トランスデューサの相対的なレイアウトを示す図であり、測定値はmm単位で表す。
【図９】図８の相対的なトランスデューサ配置を用いた、異なる温度における重量測定値の精度を示すグラフである。図９は表５及び６のグラフ表現を提供する。
【図１０】図６の相対的なトランスデューサ配置を用いた、異なる温度における重量測定値の精度を示すグラフである。図１０は表７及び８のグラフ表現を提供する。
【考案を実施するための形態】
【００４１】
具体的な実現方法
第１に、以下の実施形態の紹介及び実用新案請求の範囲を含めた説明全体中で、向きを表す名詞が関係する場合、添付した図面中の向きが優先することを、出願人はここに明言する。第２に、以下の実施形態の紹介及び添付した特許請求の範囲では、同じ構成要素番号は、同一または同様の構成要素、あるいはそれらの構造的特徴を参照するために用いる。
【００４２】
図１及び２を参照すれば、本実用新案の救急用移動体重計１０は、患者移動台２０、４組のトランスデューサ３０、及び表示モジュール８０で構成される。
【００４３】
患者移動台２０は、患者を支持する目的の上部秤量面を含む。患者移動台２０は、２つの翼状周囲体２１、及び２つの翼状周囲体２１を接続する支持部分２３を含み、ここで２つの翼状周囲体２１は５つの長尺のスロットまたは開口２２を有し、スロットまたは開口２２に指を通すことができ、医療スタッフが翼状周囲体２１を掴むことによって患者移動台２０を持ち上げることを可能にし；支持部分２３は長尺の長方形支持面２４を有し、複数の楕円形の孔状の凹部または開口２５が支持面２４上に配置され、あるいは支持面２４を貫通して配置されている。患者移動台２０内のこれらの孔状の凹部または開口２５の目的は、その重量を低減することにある。これらの孔状の凹部または開口２５の縦軸は、患者移動台２０の縦軸とほぼ平行にすることができ、あるいは患者移動台２０の縦軸にほぼ垂直にすることができる。その代わりに、孔状の凹部または開口２５の一部（一般に、孔状の凹部または開口のうちのおよそ５０％）の縦軸を、患者移動台２０の縦軸に平行にすることができる。孔状の凹部または開口２５の一部（一般に、孔状の凹部または開口のうちのおよそ５０％）の縦軸を、患者移動台２０の縦軸に垂直にすることができる。
【００４４】
本実施形態では、孔状の凹部または開口２５が、複数の第１の孔状の凹部または開口２５ａ及び複数の第２の孔状の凹部または開口２５ｂに区分され、第１の孔状の凹部または開口２５ａの各々の縦軸は患者移動台２０の縦軸に平行であり、第２の孔状の凹部または開口２５ｂの横軸は患者移動台２０の縦軸に平行である。上記の第１の孔状の凹部または開口２５ａ及び第２の孔状の凹部または開口２５ｂは、患者移動台２０の縦軸に沿った間欠的なアレイの形にすることができる。上記の第１の孔状の凹部または開口２５ａ及び第２の孔状の凹部または開口２５ｂは、患者移動台２０の横軸全体にわたってオフセットしたアレイの形にすることができる。しかし、実際には、第１の孔状の凹部または開口２５ａと第２の孔状の凹部または開口２５ｂとの間での配列の様式は、要求に応じて自由に調整することができる。
【００４５】
患者移動台２０の支持面２４上にフレームを設ける。トランスデューサをこのフレーム上に実装する。このフレームは、中心分枝２８から横方向に延びる７つの横方向分枝２７ａ〜２７を含み、中心分枝２８は患者移動台の中心軸に沿って延びる。上記の横方向分枝２７ａ〜２７ｇは中心分枝２８に沿って均等な間隔をおいている。中心分枝２８は、上記の横方向分枝２７ａ〜２７ｇに垂直に接続されている。図３より、左から３番目の横方向分枝が上部秤量面の辺に向かって最も遠くまで延びていることがわかる。それに加えて、患者移動台２０は複数の隆起したリブ２６も有し、これら複数の隆起したリブ２６は、孔状の凹部または開口２５を包囲する壁面のうちの２つの対向する側壁に一対一の配置の形に接続され、それに加えて、隆起したリブ２６が延びる方向は、孔状の凹部または開口２５の横軸に平行に延びる。このようにして、患者移動台２０の重量の低減に加えて、患者移動台の構造的強度が維持される。
【００４６】
上記の複数組のトランスデューサ３０の目的は、患者の体重を測定することにある。上記の複数組のトランスデューサ３０は、患者移動台２０の支持面２４内に設けられ、支持面２４の縦軸に沿って順に配列され、この支持面２４の孔状のスロット２５からオフセットし、複数組のトランスデューサ３０の配列は、患者の体の異なる部分に対応するような配列である。より正確には、上記の複数組のトランスデューサ３０は、順に、支持面２４の長さ方向に沿って延びる第１組のトランスデューサ４０、第２組のトランスデューサ５０、第３組のトランスデューサ６０、及び第４組のトランスデューサ７０である。
【００４７】
図示する実施形態では、第１組のトランスデューサ４０が、４つの第１トランスデューサ４１、及びこれら４つの第１トランスデューサ４１に電子的に接続された電子回路基板４２を含み、第１トランスデューサ４１は、最も左側の２つの横方向分枝２７ａ及び２７ｂの端部内に包含されるように配列されて、上記の第１トランスデューサ４１は均等に間隔をおいた配列をなし、第１電子回路基板４２は縦方向分枝２８内に包含される。電子回路基板４２を用いて、検出（センシング）信号を第１トランスデューサ４１から受信して、第１トランスデューサによって検出した合計重量を提供し、その後にこの合計重量を出力する。
【００４８】
第２組のトランスデューサ５０は、４つの第２トランスデューサ５１、及びこれら４つの第２トランスデューサ５１に電子的に接続された電子回路基板５２を含み、ここでは、２つの第２トランスデューサ５１は左から３番目の横方向分枝２７ｃの端部内に包含され、他の２つの第２トランスデューサ５１は縦方向分枝２８内に配置されている。このようにして、第２トランスデューサ５１は、１つが左側、１つが右側、１つが前側、１つが後側の十字形アレイの形になる。第２電子回路基板５２は、縦方向分枝２８内に配置され、第２電子回路基板５２を用いて、第２トランスデューサ５１からの検出信号を受信して、第２トランスデューサによって検出した合計重量を提供し、その後にこの合計重量を出力する。
【００４９】
第３組のトランスデューサ６０は、４つの第３トランスデューサ６１、及びこれら４つの第３トランスデューサ６１に電子的に接続された電子回路基板６２を含み、第３トランスデューサ６１は、左から４番目及び５番目の横方向分枝２７ｄ〜２７ｅの端部内に包含され、第３トランスデューサ６１は均等に間隔をおいた配列をなす。第３電子回路基板６２は縦方向分枝２８内に包含され、第３電子回路基板６２を用いて、第３トランスデューサ６１からの検出信号を受信して、第３トランスデューサによって検出した合計重量を提供し、その後にこの合計重量を出力する。
【００５０】
第４組のトランスデューサ７０は、４つの第４トランスデューサ７１、及びこれら４つの第４トランスデューサ７１に電子的に接続された電子回路基板７２を含み、第４トランスデューサ７１は、最も右側の横方向分枝２７ｆ及び２７ｇの端部内に包含され、上記の第４トランスデューサ７１は均等に間隔をおいた配列をなし、第４電子回路基板７２の目的は、縦方向溝２８内に包含され、第４トランスデューサ７１からの検出信号を受信して、この検出信号に計算を施し、その後に計算結果を出力することにある。
【００５１】
このようにして、トランスデューサ３０の上記配列は患者の体の異なる部分に対応し；図５に示すように、４つの第１トランスデューサ４１は頭部及び肩に対応し、前方及び後方のそれぞれ２つの第２トランスデューサ５１は上半身に対応し、４つの第３トランスデューサ及び４つの第４トランスデューサは合同で下半身に対応する。このこととは別に、左側及び右側の２つの第２トランスデューサ５１間の距離は、左側及び右側の２つの第１トランスデューサ４１間の距離、左側及び右側の２つの第３トランスデューサ６１間の距離、及び左側及び右側の２つの第４トランスデューサ７１間の距離よりも大きいので、そして左側及び右側の２つの第２トランスデューサ５１間の距離は比較的長いので、これらのトランスデューサ５１は、患者が背臥位である際に患者の手の位置に対応することができる。
【００５２】
表示モジュール８０は、患者移動台２０の翼状周囲体２１の一方に配置され、第１電子回路基板４２、第２電子回路基板５２、第３電子回路基板６２、及び第４電子回路基板７２に電子的に接続され、その目的は、これらの電子回路基板から出力されるデータを受信して、対応する体重を表示することにあり、この体重は医療スタッフが任意の瞬時に記録する。
【００５３】
使用時に、本実用新案の救急用移動体重計１０をベッド上に置くために、背臥位の患者は横向きになるべきであり、次に、一旦これらが定位置に置かれると、トランスデューサの組４０が患者の体重を検出することを可能にするために、患者は背臥位に戻るべきであり、次に、一旦検出を完了すると、次に本実用新案の救急用移動体重計１０をベッドから取り除くことができ、この時点で、患者の体重データを表示モジュール８０から確認することができる。
【００５４】
このこととは別に、本実用新案はカバー板２９を提供することも付け加える必要があり、カバー板２９は、当該カバー板をトランスデューサの各々と一緒にロックするためのネジのような固定構成部品Ｓを用い、カバー板２９は、患者移動台２０の支持面２４の最上部を覆い、トランスデューサ３０を覆い隠し、これによりトランスデューサ３０を効果的に保護する。このこととは別に、カバー板２９を布材８２の層で覆うことができ、布材８２は、清掃し易さを促進し、患者の血液、体液、または他の医学的液体が内部に染み込んでトランスデューサ４０を損傷させることを防止する。
【００５５】
要約すれば、本実用新案の救急用移動体重計１０における孔状の凹部または開口２５の採用は、患者移動台２０の重量を低減して、持ち上げるために必要な労力がより少ないことを保証する。上記のトランスデューサ配列は、患者が安定した姿勢で横たわっている間に患者を秤量することができることを保証し、これにより測定の精度を増加させる効果を有する。本考案の装置は、正確で再現可能な体重測定をもたらす。
【００５６】
上記カバー板上の異なる位置で患者を秤量した際に、図６のトランスデューサのレイアウト（レイアウト２）の精度を試験して、比較用の図８のトランスデューサのレイアウト（レイアウト１）の精度と比較した。図６の実施形態の上部秤量面は、１７８４mmの関連する長さ、及び４８６mmの関連する幅を有する。結果を以下の表１及び表２に要約する：
【００５７】
【表１】
0003227018.tif 000003
【００５８】
【表２】
0003227018.tif 000004
【００５９】
上記の実験結果によって実証されるように、図６のトランスデューサのレイアウト（レイアウト２）は、図８のトランスデューサのレイアウト（レイアウト１）よりも正確で再現可能な精度を提供している。図６のトランスデューサのレイアウトは、一部のトランスデューサのみにお負荷が加えられた場合に、正確な体重測定値を提供する。
【００６０】
設定重量を用いて、図６のトランスデューサのレイアウト（レイアウト２）の精度を試験して、比較用の図８のトランスデューサのレイアウト（レイアウト１）の精度と比較した。その結果を以下の表３及び４に要約する。
【００６１】
【表３】
0003227018.tif 000005
【００６２】
【表４】
0003227018.tif 000006
【００６３】
以上の表の実験結果によって実証されるように、設定重量を用いた際に、レイアウト２の精度はレイアウト１の精度よりも大幅に高い。
【００６４】
レイアウト１及びレイアウト２の精度を、設定重量を用いて異なる温度で試験した。これら２つのレイアウトの精度を、５℃、２０℃及び３５℃で試験した。その結果を以下の表５〜８に提供する。
【００６５】
【表５】
0003227018.tif 000007
【００６６】
【表６】
0003227018.tif 000008
【００６７】
【表７】
0003227018.tif 000009
【００６８】
【表８】
0003227018.tif 000010
【００６９】
温度３５℃、２０℃、５℃、−５℃、−２０℃及び−３５℃を用いて、この試験を繰り返した。その結果を図９及び１０に要約する。
【００７０】
表５〜８及び図９と１０において実証されるように、種々の異なる温度で、レイアウト２の精度はレイアウト１の精度よりも大幅に高い。
【００７１】
本考案のトランスデューサのレイアウトは、高温及び低温において不均等な負荷分布が加わる場合に、一貫性のある予測可能な体重測定を可能にする。
【符号の説明】
【００７２】
図上の数字の説明
１０  救急用移動体重計
２０  患者移動台
２１  翼状周囲体
２２  長尺のスロットまたは開口
２３  支持部分
２４  支持面
２５  後退した凹部または開口
２５ａ  第１の後退した凹部または開口
２５ｂ  第２の後退した凹部または開口
２６  隆起したリブ
２７ａ〜２７ｇ  横方向溝
２８  縦方向溝
２９  カバー板
３０  トランスデューサ
４０  第１センサモジュール
４１  第１秤量モジュール
４２  第１電子回路基板
５０  第２センサモジュール
５１  第２秤量モジュール
５２  第２電子回路基板
６０  第３センサモジュール
６１  第３秤量モジュール
６２  第３電子回路基板
７０  第４センサモジュール
７１  第４秤量モジュール
７２  第４電子回路基板
８０  表示モジュール
８２  布材
Ｓ  固定部品
【図１】
0003227018.tif 000011
【図２】
0003227018.tif 000012
【図３】
0003227018.tif 000013
【図４】
0003227018.tif 000014
【図５】
0003227018.tif 000015
【図６】
0003227018.tif 000016
【図６ａ】
0003227018.tif 000017
【図７】
0003227018.tif 000018
【図８】
0003227018.tif 000019
【図９】
0003227018.tif 000020
【図１０】
0003227018.tif 000021
【手続補正書】
【提出日】令和2年4月24日(2020.4.24)
【手続補正１】
【補正対象書類名】実用新案登録請求の範囲
【補正対象項目名】全文
【補正方法】変更
【補正の内容】
【実用新案登録請求の範囲】
【請求項１】
患者を秤量する装置であって、背臥位の患者を支持するように構成された患者移動台を具え、該患者移動台の上部秤量面は、前記背臥位の患者を受けるように構成され、該上部秤量面は４５０mm〜５５０mmの幅を有する装置において、
前記患者移動台が、前記上部秤量面の真下に設けられた複数のトランスデューサを具え、該トランスデューサは前記患者の体重を測定するように構成され、
前記装置は、前記複数のトランスデューサによって検出した体重を合計して提供するように構成された合計手段を具え、
前記複数のトランスデューサは少なくとも１４個のトランスデューサを含み、該トランスデューサの各々は、他の該トランスデューサから３００mm以下の所にあり、
前記トランスデューサのうちの少なくとも８５％は、前記上部秤量面の一辺から１５０mm以下の所に設けられている装置。
【請求項２】
前記秤量面が１７５０〜１９５０mmの長さを有する、請求項１に記載の装置。
【請求項３】
前記トランスデューサのうちの少なくとも２０％が、前記上部秤量面の一端から１３０mm以下の所に設けられている、請求項１または２に記載の装置。
【請求項４】
前記トランスデューサのうちの少なくとも１０％が、前記上部秤量面の一辺から１０５mm以下の所に設けられている、請求項１〜３のいずれかに記載の装置。
【請求項５】
前記トランスデューサのうちの少なくとも８５％が、前記上部秤量面の一辺から１４５mm以下の所に設けられている、請求項１〜４のいずれかに記載の装置。
【請求項６】
前記トランスデューサのうちの少なくとも８５％が、前記上部秤量面の一辺から１４０mm以下の所に設けられている、請求項１〜５のいずれかに記載の装置。
【請求項７】
前記トランスデューサの各々が、他の前記トランスデューサから２７５mm以下の所にある、請求項１〜６のいずれかに記載の装置。
【請求項８】
少なくとも１６個の前記トランスデューサを具えている、請求項１〜７のいずれかに記載の装置。
【請求項９】
前記トランスデューサのうちの１３％未満が、前記上部秤量面の一辺から２００mm超の所に設けられている、請求項１〜８のいずれかに記載の装置。
【請求項１０】
前記トランスデューサが正方形または長方形であり、前記トランスデューサの側面が、前記上部秤量面の端または辺に平行に設けられ、あるいは前記上部秤量面の端または辺からおよそ４５°の角度に設けられている、請求項１〜９のいずれかに記載の装置。
【請求項１１】
前記トランスデューサのうちの少なくとも７０％が、前記上部秤量面の端または辺からおよそ４５°の角度に設けられている、請求項１０に記載の装置。
【請求項１２】
前記トランスデューサのうちの少なくとも２０％の側面が、前記上部秤量面の端及び辺に平行に設けられている、請求項１０または１１に記載の装置。
【請求項１３】
前記上部秤量面が、４８０〜５５０mmの幅、１７５０〜１８５０mmの長さを有し、前記複数のトランスデューサが少なくとも１６個のトランスデューサを含み、前記トランスデューサの各々が他の前記トランスデューサから２７５mm以下の所にあり、前記トランスデューサのうちの少なくとも１４個は、前記上部秤量面の一辺から１５０mm以下の所に設けられ、前記トランスデューサのうちの少なくとも４個は、前記上部秤量面の一端から１３０mm以下の所に設けられている、請求項１または２に記載の装置。
【請求項１４】
前記トランスデューサのうちの少なくとも２個は、前記上部秤量面の一辺から１０５mm以下の所に設けられている、請求項１３に記載の装置。
【請求項１５】
前記患者移動台が支持台を含み、該支持台上に前記トランスデューサが実装され、複数の開口が前記支持台を貫通して設けられ、あるいは複数の凹部が前記支持台上に設けられている、請求項１〜１４のいずれかに記載の装置。
【請求項１６】
前記開口または前記凹部の各々が、長方形、長円形、または楕円形の形状を有し、縦軸方向及び横軸方向を有し、前記開口または前記凹部の各々の縦軸が、前記上部秤量面の縦軸にほぼ平行であるか、ほぼ垂直である、請求項１５に記載の装置。
【請求項１７】
４組のトランスデューサの形に配列された１６個の前記トランスデューサを具え、前記トランスデューサの各組は電子回路基板を含み、該電子回路基板は、４つの前記トランスデューサの各々に電子的に接続されている、請求項１〜１６のいずれかに記載の装置。
【請求項１８】
前記４組のうちの３組が、前記上部秤量面の中心の縦軸から等しい間隔をおいた前記トランスデューサを含む、請求項１７に記載の装置。
【請求項１９】
前記４組のうちの１組が、前記上部秤量面の中心の縦軸に沿った２個の前記トランスデューサを含む、請求項１７または１８に記載の装置。
【請求項２０】
前記合計手段と通信する表示モジュールを含む、請求項１〜１９のいずれかに記載の装置。
【請求項２１】
フレームを含み、該フレーム上に前記トランスデューサが設けられ、前記フレームは、前記上部秤量面の中心の縦軸に沿って延びる中心分枝、及び該中心分枝から横方向に延びる複数の二次分枝を含む、請求項１７〜２０のいずれかに記載の装置。
【請求項２２】
前記中心分枝に沿って均等に間隔をおいた７つの前記二次分枝を含む、請求項２１に記載の装置。
【請求項２３】
前記４組のうちの３組の前記トランスデューサの各々が、１つの前記二次分枝上に設けられ、
前記４組のうちの１組の前記トランスデューサのうちの２つが、１つの前記二次分枝上に設けられ、
前記４組のうちの１組の前記トランスデューサのうちの２つが、前記中心分枝上に設けられている、請求項２２に記載の装置。
【請求項２４】
前記上部秤量面上に着脱可能なカバーを含む、請求項１〜２３のいずれかに記載の装置。
【請求項２５】
前記患者移動台が、当該患者移動台上の凹部または当該患者移動台を貫通する開口を含む、請求項１〜２４のいずれかに記載の装置。
【請求項２６】
前記凹部または前記開口が縦軸及び横軸を有し、前記凹部または前記開口のうちのおよそ半分の前記縦軸が前記患者移動台の縦軸に平行であり、前記凹部または前記開口のうちのおよそ半分の前記縦軸が前記患者移動台の縦軸に垂直である、請求項２５に記載の装置。